(57)【要約】【課題】    正四角形状のカロムゲーム盤は、前記枠体に設けた逆L字形の切欠の構造によりゲーム盤面、中板および底板それぞれが着脱自在に組替えが可能になり、そのことによりゲーム盤面に損傷が生じても容易に取替ができるようになった。【解決方法】    この発明の正四角形状のカロムゲーム盤は、前記枠体に設けた逆L字形の切欠の構造によりゲーム盤面、中板および底板それぞれが着脱自在に組替えでき、そのことにより盤面に損傷が生じてもゲーム盤面のみを容易に取替ができるようになり、またゲーム盤面を裏返しすれば異なったゲーム盤面に取り替えてゲームができ、さらに底板の下側にフェルトを張れば、底板を最上位に組み替えることでマージャン卓として使用することもできる。【選択図】図１
2011147700.tif 000002
【特許請求の範囲】
【請求項１】
正四角形の枠体と、カロムゲーム盤面と、カロムゲーム盤面の下側に位置した間隔保持材としての中板と、正四角形の底板とを備え、枠体にはその全周下面と内周面に連なって断面が逆Ｌ字形の切欠を設け、前記ゲーム盤面にはその上表面に中心スポットおよびこの中心スポットを同心円的に取り囲むセンターサークルを設け、かつセンターサークルの外側に四角形のエリアラインおよびエリアラインの外側の四辺中央部にティースポットがそれぞれ描かれてさらに四隅部分にパックを入るためのポケット用切欠を設け、前記中板はゲーム盤の切欠に対応した切欠が四隅部分に設けられポケットとして一定の深さを確保するために所定の厚みを持たせた部材で形成され、この中板の下側に正四角形状の底板を重ねてこれら全体を枠体の断面逆L字形の切欠に着脱自在に組み入れたゲーム盤。
【請求項２】
前記間隔保持材としての中板は、底板の四隅部分に固定され、前記カロムゲーム盤のポケット用切欠にそれぞれ対応してポケットを形成する略L字形のスペーサと、これに対向したL字形スペーサとからなる請求項１記載のゲーム盤。
【請求項３】
正四角形の枠体と、カロムゲーム盤面と、カロムゲーム盤面の下側に位置した間隔保
持材としての中板と、正四角形の底板とを備え、枠体にはその全周下面と内周面に連なって断面が逆Ｌ字形の切欠と、盤面ゲームの上下の両表面にはそれぞれゲームが描かれており、上面のそれはカロムゲームであり、下面のそれはキャロムゲームであって、四隅部分にはパックを入れるためのポケットが設けられ、中心スポットおよびこの中心スポットを同心円的に取り囲むセンターサークルを設け、かつセンターサークルの外側に四角形のエリアラインおよびエリアラインの外側の四辺中央部にティースポットがそれぞれ描かれ、さらに四隅部分にパックを入るためのポケット用切欠を設け、前記中板はゲーム盤の切欠に対応した切欠が四隅部分に設けられポケットとして一定の深さを確保するために所定の厚みを持たせた板材で形成され、この中板の下側に正四角形状の底板を重ねてこれら全体を枠体の断面逆L字形の切欠に組み入れ枠体に設けた回転型の止め具で枠体に着脱自在に取り付けたゲーム盤。
【請求項４】
前記間隔保持材としての中板は、底板の四隅部分に固定され、前記カロムゲーム盤のポケット用切欠にそれぞれ対応してポケットを形成する略L字形のスペーサとこれに対向したL字形スペーサとからなる請求項３記載のゲーム盤。
【発明の詳細な説明】
【技術分野】
【０００１】
本発明は、盤上ゲ−ム、例えばカロムゲーム用ゲーム盤の改良に関するものである。
【背景技術】
【０００２】
ビリヤ−ドとおはじき遊びを合体させたような盤上ゲ−ムには、カロムゲーム、キャロ
ムゲームがあり、これらのゲームはその他の名称で世界的にも広く知られている。これ
のゲームを行うためのゲ−ム盤や基本ル−ルは概して類似するものの、国や地域によっ
て相違点も多い。また同様のゲ−ム盤を使用しても異なったル−ルや、独自のル−ルが
採用される場合もある。
【０００３】
カロムゲームが行われている日本のある地方、例えば滋賀県の湖東、湖北地方で使用されるゲ−ム盤は、正四角形枠で囲まれた盤面の四隅にパック（駒）落とし込み用のポケ
ットが盤面とは段差をおいて設けられ、さらに盤面の中心には、中心駒を競技開始時に
配置する位置を示した中心スポットが表示されている。この中心スポットの外側には、
スポットと同心円的に各競技者の識別表示が施された２種類のパックを競技開始時に交
互にリング状に配置するよう指示するセンターサ−クルが表示され、さらにこのセンタ
−サ−クルの外側には、攻撃のためのエリアラインが描かれ、その外側の盤面の四辺中
央部に各競技者の弾き駒を初回に発射する位置を指示するティ−スポットがそれぞれ表
示されて構成される。
【０００４】
このカロムゲーム盤を使用した競技方法は、以下の非特許文献１に記載されるように２
名又は２人でペアを組んだ２組の各競技者が、初回は各自の側のティ−スポット上に、次回以降は各自の側のエリアライン上に配置した自らの弾き駒（ストライカー）を弾いて盤面上にある自他のパック及び中心駒に当て、何れかのポケットに自らのパックを順次落とし込むと共に中心駒を最後に入れることを競うものである。
【先行技術文献】
【非特許文献】
【０００５】
【非特許文献１】杉原正樹編著「カロムロ−ド」２００２年２月１５日サンライズ出版発行
【発明の概要】
【発明が解決しようとする課題】
【０００６】
しかし、前記従来のカロムゲーム盤は、一辺が約６２ｃｍの正四角形状のゲーム盤面が枠体に固定されていて簡単に取り外すことはできないものであった。このため、盤面に損傷が起きた場合や他のゲーム盤面に取り替える場合にも簡単に取り替えることができなかった。
【０００７】
本発明の目的は、盤面が枠体に対して着脱自在に組み入れられていて、盤面を裏返せば表面のゲーム（例えばカロム）と裏面のゲーム（例えばキャロム）の２通りのゲームができるものであり、さらにゲーム盤面の表面上に傷等が生じてもその盤面だけを容易に取り替えができるゲーム盤を提供するものである。
【課題を解決するための手段】
【０００８】
この発明のゲーム盤の主たる構成の特徴は、正四角形状のゲーム盤面を枠体に着脱自在に組み入れて、盤面を容易に取り替えできることである。それにより盤面に損傷が生じても枠体はそのままで、盤面のみの修復で簡単に再使用できるものである。さらに盤面を裏返しすれば、表面側の盤面のゲームとは異なって描かれた裏面の異なったゲームが容易に楽しめるものである。
【０００９】
この発明はまた、前記カロムゲーム盤のうち、ゲーム盤面下側に位置する間隔保持材としての中板を軽量化してゲーム盤の運搬を容易にしたことを特徴としたものでもある。
【発明の効果】
【００１０】
以上のように、この発明のゲーム盤は、これまでのそれに比べて軽量化ができ、加えてコンパクト化も可能であり、その運搬移動時の持ち運びを楽にできる。さらに底板の下側側にフェルトのようなクッション性のある素材を貼り付けて、前記カロムゲーム盤面とフェルトを貼り付けた底板を盤面の表面側に組み入れると、枠体の一番上面は前記フェルトの貼った底板になり、麻雀卓としても使用ができる特徴がある。
【図面の簡単な説明】
【００１１】
【図１】本発明の実施例１におけるカロムゲーム盤の平面図。
【図２】同カロムゲーム盤面の裏面に描いたキャロムゲーム盤を示す平面図。
【図３】同カロムゲーム盤の要部断面図。
【図４】実施例２におけるカロムゲーム盤の要部断面図。
【図５】実施例３で用いた底板を示し（Ａ）はその部分平面図、（Ｂ）は略Ｌ字形のスペーサの斜視図、（Ｃ）はＬ字形のスペーサの斜視図である。
【００１２】
以下、この発明の詳細は、実施例により説明する。
【発明を実施するための形態】
【００１３】
（実施例１）
図１は、本発明におけるカロムゲ−ム盤Gの表面の状態を示した平面図である。正四角形の枠体１と、カロムゲーム盤面２ａ、２ｂと、カロムゲーム盤面の下側に位置した間隔保持材としての中板１２と、正四角形の底板１３（ともに図３に示す）とを備え、枠体にはその全周下面と内周面に連なって断面が逆Ｌ字形の切欠１ａを設け、前記ゲーム盤面にはその上表面に中心スポット３およびこの中心スポットを同心円的に取り囲むセンターサークル４を設け、かつセンターサークルの外側に四角形のエリアライン５ａおよびエリアラインの外側の四辺中央部にティースポット６ａ，６ｂがそれぞれ描かれ、さらに四隅部分にパックを入るためのポケット用切欠９を設け、前記中板１２はゲーム盤の切欠に対応した切欠が四隅部分に設けられ、ポケットとして一定の深さを確保するために所定の厚みを持たせた板材で形成され、この中板１２の下側に正四角形状の底板を重ねて枠体の断面逆L字形の切欠１ａに着脱自在に組み入れたものである。
【００１４】
図２は、前記カロム盤面の裏面側２ｂに描いたキャロムゲームを表示したものである。キャロムゲームの競技方法は、まずゲーム開始時に盤面の中心に表示された中心スポット３上に中心駒を配置すると共に、盤面の中心スポット周囲にそれと同心円的にセンターサークル４が描かれ、各競技者の識別表示が施された１２個のパック（的駒）８ａ、８ｂ及び６個のパック（的駒）８ｃ、8ｄを中心駒を取り囲むように各々外側及び内側に何れも交互に六角形状に互いに略最密状態で配置し、この状態で盤面の所定エリア（カロムではティースポット）６ｃ、６ｄから各競技者の弾き駒を初回のみ弾いて、次からはベースラインに沿って、前記弾き駒を弾きて前記パック（的駒）及び中心駒に当てると共に、それらを盤面の四隅のポケットに入れることを競うゲームである。
【００１５】
前記のゲーム盤面は厚み約９ｍｍの板から形成され、中板１２は厚み約２０ｍｍのパーチクルボードで構成され、底板１３は約５ｍｍの板で構成されている。
（実施例２）
図３は、前記ゲーム盤面ほかを枠体に着脱自在に取り付けやすくした例である。枠体にはその全周下面と内周面に連なって断面が逆Ｌ字形の切欠き１ａが設けられている。天地を反転した枠体の逆Ｌ字形の切り欠き１ａに、ゲーム盤面２ａ，２ｂ、中板１２及び底板１３を重ねてはめ込む。
Ｌ字形に設けた切り欠き１ａの深さは、正立状態で最下位に位置する底板１３の下面が枠体下面と面一となるように設けられている。なお、底板１３は額の裏板と同様に複数の回転型止め具１５で枠体１から外れないよう止められている。
【００１６】
また、前記底板１３の裏面側にフェルト１４のようなクッション材を張れば前記底板１３を前記ゲーム盤面２ａの位置に裏返して組替えると、フェルトが一番上の表面に位置して前記枠体１と同じ正四角形のマージャン卓としても使用することができる。
前記枠体１の構造によれば、麻雀の業界で使用されている麻雀台の正四角形の取り外しができる枠体は前記枠体１と同じ構造をしており、麻雀台の正四角形の枠体をそのまま流用してカロム盤を容易に作ることもできる。カロムゲーム盤は本来寸法的な規格はあるが、それより大きくてもまた小さくても別段ゲームに支障はなく、ゲームを楽しむことができる。
【００１７】
（実施例３）
図４に示す例は実施例２の前記ゲーム盤をさらに軽量化したものであり、その構造は間隔保持材としての中板１２を省略して、代わりに略Ｌ字形のスペーサ１０ａと、これに対向するＬ字形スペーサ１０ｂとを用いたものである。
その組み合わせ構造は、図５に示すように、二種類のスペーサ１０ａ、１０ｂを外形形状が四角枠をなし、内側に駒落とし込みのポケット用空間１１（図４に示す）を形成している。
【００１８】
また、前記底板１３の裏面側にフェルト１４のようなクッション材を張った前記底板１３を前記ゲーム盤面２ａの位置に裏返して組替えると、フェルトが一番上の表面に位置して前記枠体１と同じ正四角形のマージャン卓としても使用することができる。
前記枠体１の構造によれば、麻雀の業界で使用されている麻雀台の正四角形の取り外しができる枠体は前記枠体１と同じ構造をしており、麻雀台の正四角形の枠体をそのまま流用してカロム盤を容易に作ることができる。
【符号の説明】
【００１９】
Ｇ    ゲーム盤
１    正四角形枠体
１ａ  枠体全周下面内周面の逆Ｌ字形の切り欠き
２ａ  ゲーム盤面の表面側
２ｂ  前記ゲーム盤面の裏面側
３    中心スポット
４    センターサークル
５ａ  エリアライン
５ｂ  ベースライン
６ａ、６ｂ、６ｃ、６ｄ    ティースポット
７    中心駒
８ａ、８ｂ、８ｃ、８ｄ    パック（駒）
９    盤面のポケット用切り欠き
１０ａ  略Ｌ字形をしたスペーサ
１０ｂ  Ｌ字形をしたスペーサ
１１  ポケット用空間
１２  中板
１３  底板
１４  フェルト
１５  回転型止め具（底板と枠体を止める）
１６  空間部
【図１】
2011147700.tif 000003
【図２】
2011147700.tif 000004
【図３】
2011147700.tif 000005
【図４】
2011147700.tif 000006
【図５】
2011147700.tif 000007
【手続補正書】
【提出日】平成22年5月13日(2010.5.13)
【手続補正１】
【補正対象書類名】特許請求の範囲
【補正対象項目名】全文
【補正方法】変更
【補正の内容】
【特許請求の範囲】
【請求項１】
正四角形の枠体と、カロムゲーム盤面と、該カロムゲーム盤面の下側に位置した間隙保持材としての中板と、正四角形の底板とを備えたゲーム盤面であって、
前記枠体にはその全周下面と内周面に連なって断面が逆L字形の切欠を設け、
前記ゲーム盤面には、上表面に中心スポット、該中心スポットを同心円的に取り囲むセンターサークル、該センターサークルの外側に四角形のエリアラインおよび該エリアラインの外側の四辺中央部にティースポットがそれぞれ描かれ、
前記ゲーム盤面には、四隅部分にパックを入るためのポケット用切欠を設け、
前記中板は、前記ゲーム盤の切欠に対応した切欠が四隅部分に設けられてポケ
ットとして一定の深さを確保するために所定の厚みを持たせた部材で形成され、
前記中板は、前記底板の四隅部分に固定され、前記カロムゲーム盤面の前記ポ
ケット用切欠にそれぞれ対応してポケットを形成する略Ｌ字形のスペーサとこれに対向したL字形スペーサとからなり、
前記中板の下側に正四角形状の前記底板を重ねて、前記カロムゲーム盤面、前記中板及び前記底板の全体を前記枠体の前記断面逆L字形の切欠に着脱自在に組み入れたことを特徴とするゲーム盤。
【請求項２】
正四角形の枠体と、ゲーム盤面と、該ゲーム盤面の下側に位置した間隙保持材
としての中板と、正四角形の底板とを備えたゲーム盤であって、
前記枠体にはその全周下面と内周面に連なって断面が逆L字形の切欠を設け、
前記ゲーム盤面の上面にはカロムゲーム用のラインが描かれており、
前記ゲーム盤面の下面にはキャロムゲーム用のラインが描かれており、
前記ゲーム盤面には、四隅部分にパックを入るためのポケット用切欠を設け、
前記中板は、前記ゲーム盤の切欠に対応した切欠が四隅部分に設けられてポケットとして一定の深さを確保するために所定の厚みを持たせた板材で形成され、
前記中板は、前記底板の四隅部分に固定され、前記ゲーム盤面の前記ポケット
用切欠にそれぞれ対応してポケットを形成する略L字形のスペーサとこれに対向したL字形スペーサとからなり、
前記中板の下側に正四角形状の前記底板を重ねて、前記ゲーム盤面、前記中板及び前記底板の全体を前記枠体の前記断面逆L字形の切欠に組み入れて、前記枠体に設けた回転型の止め具で前記枠体に着脱自在に取り付けたことを特徴とするゲーム盤。